(57)【要約】      （修正有）【課題】天板を使用位置に位置付ける直前まで自由に移動することができ、且つ、確実に所望の位置へ配置できるといった、簡単且つ確実に所望の位置へレイアウト可能なテーブルを実現する。【解決手段】天板を略水平となる使用位置（Ｐ）と略鉛直に起立する収納位置（Ｑ）との間でフラップ動作可能に支持する脚とを床面Ｆに対して移動不能に支持する第１の支持体２Ａと、前記脚２を床面Ｆに対して移動可能に支持する第２の支持体２Ｃと、所定操作によって前記第１の支持体２Ａを床面Ｆに接地する接地位置Ｂ１に位置付け且つ前記第２の支持体２Ｃを床面Ｆから離間する離間位置Ｂ２に位置付けるように作動し、他の所定操作によって前記第１の支持体２Ａを床面Ｆから離間する離間位置Ｂ２に位置付け且つ前記第２の支持体２Ｃを床面Ｆに接地する接地位置Ｂ１に位置付けるように作動する作動機構Ｗとを具備したことを特徴とするテーブル。【選択図】図５
2004357980.tif 000002
【特許請求の範囲】
【請求項１】
天板と、前記天板を略水平となる使用位置と略鉛直に起立する収納位置との間でフラップ動作可能に支持する脚と、前記脚を床面に対して移動不能に支持する第１の支持体と、前記脚を床面に対して移動可能に支持する第２の支持体と、所定操作によって前記第１の支持体を床面に接地する接地位置に位置付け且つ前記第２の支持体を床面から離間する離間位置に位置付けるように作動し、他の所定操作によって前記第１の支持体を床面から離間する離間位置に位置付け且つ前記第２の支持体を床面に接地する接地位置に位置付けるように作動する作動機構とを具備し、
収納位置から使用位置に向けてフラップ動作する天板が、使用位置の直前に位置付けられた際に、前記作動機構が、前記第１の支持体（アジャスタ）を床面に接地する接地位置に位置付け且つ前記第２の支持体を床面から離間する離間位置に位置付けるように作動することを特徴とするテーブル。
【請求項２】
使用位置にある天板を、収納位置へ向けてフラップ動作させるに伴って、前記作動機構が、前記第１の支持体を床面から離間する離間位置に位置付け且つ前記第２の支持体を床面に接地する接地位置に位置付けるように作動することを特徴とする請求項１記載のテーブル。
【請求項３】
前記脚が、前記第１の支持体に支持される第１の脚と前記第２の支持体に支持される第２の脚とを相対移動可能に具備し、
前記作動機構が、前記第１の脚と前記第２の脚とを相対移動させるように作動することにより、前記第１の支持体と前記第２の支持体とが接地位置又は離間位置に位置付けられるように構成していることを特徴とする請求項１又は２記載のテーブル。
【請求項４】
前記第１の脚が、第１の支持体に両端部を支持される第１の脚ベースと、この第１の脚ベースから起立して前記天板をフラップ動作可能に支持する第１の脚支柱とを備える一方、前記第２の脚が、第２の支持体に両端部を支持される第２の脚ベースと、この第２の脚ベースから起立する第２の脚支柱とを備え、
前記作動機構が、第１の脚ベースと第２の脚ベースとを相対移動するように作動させ、且つ、第１の脚支柱と第２の脚支柱とを相対移動するように作動させてなるものであることを特徴とする請求項３記載のテーブル。
【請求項５】
前記第１の脚支柱が、前記第２の脚支柱を外観不能に隠蔽していることを特徴とする請求項４記載のテーブル。
【請求項６】
前記第１の脚ベースが、前記第２の脚ベースの少なくとも上端部側を外観不能に隠蔽していることを特徴とする請求項４又は５記載のテーブル。
【請求項７】
第１の支持体の第１の脚ベースへの取り付け位置と、第２の支持体の第２の脚ベースへの取り付け位置とが平面視重合する位置関係にあることを特徴とする請求項４乃至６いずれか記載のテーブル。
【請求項８】
前記第２の支持体が、離間した２つの車輪を備える双輪キャスタであり、前記第１の支持体が、前記双輪キャスタの車輪間の寸法よりも小さな外径の台座の上に取付軸を備えたアジャスタであって、
前記双輪キャスタの２つの車輪の間に、前記アジャスタが配置され、前記アジャスタの取付軸のまわりに前記キャスタが旋回可能に取り付けられていることを特徴とする請求項７記載のテーブル。
【請求項９】
前記作動機構が、前記第１の脚と第２の脚との間に介在し、前記第２の脚を床面から離間する方向に付勢する付勢部材を備えていることを特徴とする請求項３乃至８いずれか記載のテーブル。
【請求項１０】
前記作動機構が、前記付勢部材により付勢され所定位置にある第２の脚を、その所定位置からさらに床面から離間することを不能にロックするロック部材を具備していることを特徴とする請求項９記載のテーブル。
【請求項１１】
前記作動機構が、一端側を前記第１の脚に取り付け他端側を前記ロック部材に取り付けてなり、且つ、前記ロック部材を所定位置に位置付けるように付勢する第２の付勢部材を具備していることを特徴とする請求項１０記載のテーブル。
【請求項１２】
前記作動機構が、前記ロック部材のロックを解除するためのロック解除部材を具備し、収納位置から使用位置に向かってフラップ動作する天板を、使用位置の直前に位置付けた際に、前記ロック解除部材が前記ロック部材のロックを解除するように構成していることを特徴とする請求項１０又は１１記載のテーブル。
【請求項１３】
前記作動機構が、使用位置から収納位置へフラップ動作する天板に連動し、前記第２の脚を床面側に押し下げ得る押し下げ機構を具備していることを特徴とする請求項３乃至１２いずれか記載のテーブル。
【請求項１４】
前記押し下げ機構が、フラップ動作する天板の回転中心となる回転支軸と連動して回動する回動部材と、前記回動部材に回動可能に支持される一端部と前記第２の支柱に設けた長孔に進退可能に支持される他端部とを備えた進退部材とを備えることを特徴とする請求項１３記載のテーブル。
【請求項１５】
前記作動機構の作動と連動し、第１の支持体と前記第２の支持体との床面に対する接地状態を視認可能に表示する表示手段を具備していることを特徴とする請求項１乃至１４いずれか記載のテーブル。
【発明の詳細な説明】
【０００１】
【発明の属する技術分野】
本発明は、オフィスや学校などで好適に使用される、天板をフラップ動作させることができるようにしたテーブルに関するものである。
【０００２】
【従来の技術】
従来、この種のテーブルは、脚支柱と、この脚支柱に略水平となる使用位置と略鉛直に起立する収納位置との間でフラップ動作可能に支持される天板と、前記の脚支柱の下端に設けられ床面に設置される脚ベースと、脚ベースを床面に対して移動可能に支持するキャスタと、このキャスタが床面から離間した際に床面に接地するとともに前記脚ベースを床面に対して移動不能に支持するアジャスタ（制動体）とを備えてなるものがよく知られている。
【０００３】
そして、テーブルに、天板のフラップ動作に連動して、床面に接地する方向へアジャスタを進退させる連動機構を備えることにより、該テーブルが、天板が床面に対して所定角度以下であれば、床面に対して移動不能となり、所定角度より大きければ、床面に対して移動可能となるように構成している。（例えば、特許文献１参照。）。
【０００４】
【特許文献１】
特開平１０−１２７３５１（段落番号００１５〜００２０、図２）
【０００５】
【発明が解決しようとする課題】
しかしながら、以上のような構成では、天板が床面に対して所定角度以下では、アジャスタが床面に接地し且つキャスタが床面から離間し、所定角度より大きければ、アジャスタが床面から離間し且つキャスタが接地することとなる。このため、天板がその所定角度となる位置から水平となる使用位置にある場合には、テーブルが床面に固定されることとなり、テーブル位置を微調整することが困難であるといった課題を有している。
【０００６】
そこで本発明は、上述した課題を解決することを主たる目的とするものである。
【０００７】
【課題を解決するための手段】
すなわち、本発明に係るテーブルは、天板と、前記天板を略水平となる使用位置と略鉛直に起立する収納位置との間でフラップ動作可能に支持する脚と、前記脚を床面に対して移動不能に支持する第１の支持体と、前記脚を床面に対して移動可能に支持する第２の支持体と、所定操作によって前記第１の支持体を床面に接地する接地位置に位置付け且つ前記第２の支持体を床面から離間する離間位置に位置付けるように作動し、他の所定操作によって前記第１の支持体を床面から離間する離間位置に位置付け且つ前記第２の支持体を床面に接地する接地位置に位置付けるように作動する作動機構とを具備し、収納位置から使用位置に向けてフラップ動作する天板が、使用位置の直前に位置付けられた際に、前記作動機構が、前記第１の支持体を床面に接地する接地位置に位置付け且つ前記第２の支持体を床面から離間する離間位置に位置付けるように作動することを特徴とする。
【０００８】
このようなものであれば、収納位置からフラップ動作させた天板が、使用位置の直前に位置付けられるまで、第２の支持体が接地位置にあり且つ第１の支持体が離間位置にあるので、天板を使用位置の直前の位置でも、該テーブルを自由に移動することができる。また、使用位置の直前にある天板を使用位置へ位置付けるだけで、第２の支持体が離間位置となり且つ第１の支持体が接地位置となって、テーブルが床面に設置されるので、テーブルを所望の位置へ容易に位置付けることができる。すなわち、１又は複数のテーブルをレイアウトする場合に、各テーブルを簡単且つ確実に所望の位置へ位置付けることができる。
【０００９】
なお、配置済みテーブルの微調整して再配置するなど、天板が使用位置にあって移動不能な状態のテーブルを若干の操作で移動可能にするためには、使用位置にある天板を、収納位置へ向けてフラップ動作させるに伴って、前記作動機構が、前記第１の支持体を床面から離間する離間位置に位置付け且つ前記第２の支持体を床面に接地する接地位置に位置付けるように作動することが望ましい。
【００１０】
また、本発明の望ましい態様としては、前記脚が、前記第１の支持体に支持される第１の脚と前記第２の支持体に支持される第２の脚とを相対移動可能に具備し、前記作動機構が、前記第１の脚と前記第２の脚とを相対移動させるように作動することにより、前記第１の支持体と前記第２の支持体とが接地位置又は離間位置に位置付けられるように構成しているものが挙げられる。さらに、具体的な態様としては、前記第１の脚が、第１の支持体に両端部を支持される第１の脚ベースと、この第１の脚ベースから起立して前記天板をフラップ動作可能に支持する第１の脚支柱とを備える一方、前記第２の脚が、第２の支持体に両端部を支持される第２の脚ベースと、この第２の脚ベースから起立する第２の脚支柱とを備え、前記作動機構が、第１の脚ベースと第２の脚ベースとを相対移動するように作動させ、且つ、第１の脚支柱と第２の脚支柱とを相対移動するように作動させてなるものが挙げられる。
【００１１】
なお、外観を良好なものとするためには、前記第１の脚支柱が、前記第２の脚支柱を外観不能に隠蔽し、また、前記第１の脚ベースが、前記第２の脚ベースの少なくとも上端部側を外観不能に隠蔽していることが好ましい。
【００１２】
また、省スペース化したテーブルを提供するためには、第１の支持体の第１の脚ベースへの取り付け位置と、第２の支持体の第２の脚ベースへの取り付け位置とが平面視重合する位置関係にあることが望ましい。この場合の望ましい態様としては、前記第２の支持体が、離間した２つの車輪を備える双輪キャスタであり、前記第１の支持体が、前記双輪キャスタの車輪間の寸法よりも小さな外径の台座の上に取付軸を備えたアジャスタであって、前記双輪キャスタの２つの車輪の間に、前記アジャスタが配置され、前記アジャスタの取付軸のまわりに前記キャスタが旋回可能に取り付けられているものが挙げられる。
【００１３】
簡単な構成で、接地位置にある第２の脚を離間位置へ移動し得るようにするためには、前記作動機構が、前記第１の脚と第２の脚との間に介在し、前記第２の脚を床面から離間する方向に付勢する付勢部材を備えていることが好ましい。
【００１４】
また、接地位置にある第２の脚が、所定の操作を受けることなしに床面から離間することを防止するためには、前記作動機構が、前記付勢部材により付勢され所定位置にある第２の脚を、その所定位置からさらに床面から離間することを不能にロックするロック部材を具備していることが望ましい。このとき、前記作動機構が、一端側を前記第１の脚に取り付け他端側を前記ロック部材に取り付けてなり、且つ、前記ロック部材を所定位置に位置付けるように付勢する第２の付勢部材を具備していれば、前記ロック部材のロック動作を確実に行わせることができる。
【００１５】
移動可能なテーブルを移動不能にするための作動機構の具体的な態様としては、前記作動機構が、前記ロック部材のロックを解除するためのロック解除部材を具備し、収納位置から使用位置に向かってフラップ動作する天板を、使用位置の直前に位置付けた際に、前記ロック解除部材が前記ロック部材のロックを解除するように構成すればよい。
【００１６】
移動不能なテーブルを移動可能にするための作動機構の具体的な態様としては、前記作動機構が、使用位置から収納位置へフラップ動作する天板に連動し、前記第２の脚を床面側に押し下げ得る押し下げ機構を具備したものが挙げられる。このときのより具体的な態様としては、前記押し下げ機構が、フラップ動作する天板の回転中心となる回転支軸と連動して回動する回動部材と、前記回動部材に回動可能に支持される一端部と前記第２の脚支柱に設けた長孔に進退可能に支持される他端部とを備えた進退部材とを備えるものが挙げられる。
【００１７】
なお、該テーブルが移動可能な状態にあるのか或いは移動不能な状態にあるのかを簡単且つ確実に知るためには、前記作動機構の作動と連動し、第１の支持体と前記第２の支持体との床面に対する接地状態を視認可能に表示する表示手段を具備していることが好ましい。
【００１８】
【発明の実施の形態】
以下、本発明の一実施形態について図面を参照して説明する。
【００１９】
本実施形態に係るテーブルＴは、オフィスや学校などで使用されるものであって、例えば、図１に示すように、天板１と、前記天板１を支持するための脚２と、天板１と脚２との間に介在しその天板１を略水平となる使用位置（Ｐ）と略鉛直に起立する収納位置（Ｑ）との間でフラップ動作可能に支持する支持機構３と、前記脚２を床面Ｆに対して移動不能に支持する第１の支持体たるアジャスタ２Ａと、前記脚２を床面Ｆに対して移動可能に支持する第２の支持体たるキャスタ２Ｃと、所定操作によって前記キャスタ２Ｃを床面Ｆに接地する接地位置Ｂ１に位置付け且つ前記アジャスタ２Ａを床面Ｆから離間する離間位置Ｂ２に位置付けるように作動し、他の所定操作によって前記キャスタ２Ｃを床面Ｆに接地する接地位置Ｂ１に位置付け且つ前記アジャスタ２Ａを床面Ｆから離間する離間位置Ｂ２に位置付けるように作動する作動機構Ｗと、前記天板１のフラップ動作と連動し且つ天板１が使用位置（Ｐ）にある際には所定方向から下肢空間Ｓを隠蔽する幕板４と、フラップ動作して前記使用位置（Ｐ）に位置付けられた天板１をその位置で移動不能に係止する一方所定操作によりその係止を解除するラッチ機構５とを具備するものである。
【００２０】
なお、本実施形態では、天板１が使用位置（Ｐ）にある際に、その表面側を上側、裏面側を下側と定義し、天板１の幕板４が取り付けられている側を反使用端側と定義して説明をする。
【００２１】
以下、各部を詳述する。
【００２２】
天板１は、平面視略矩形をなすように形成された木製のものである。
【００２３】
脚２は、前記キャスタ２Ｃに支持される第１の脚２ａと、前記アジャスタ２Ａに支持される第２の脚２ｂとを相対移動可能に備えてなる。
【００２４】
より具体的には、第１の脚２ａは、図２、図４等に示すように、平面視中空略角柱状の第１の脚ベース本体２２０ａ、この第１の脚ベース本体２２０ａから使用端側に行くにしたがって漸次高さ寸法が小さくなる下向きコ字状の第１の前脚ベース２２１ａ、第１の脚ベース本体２２０ａから反使用端側に行くにしたがって漸次高さ寸法が小さくなる下向きコ字状の第１の後脚ベース２２２ａとを具備する第１の脚ベース２２ａと、前記第１の脚ベース本体２２０ａに支持され床面Ｆに対して起立する中空略角柱状の第１の脚支柱２１ａとを具備し、これら各部を金属などを素材として一体的に成形してなる。
【００２５】
また、第２の脚２ｂは、図２、図４等に示すように、平面視中空略角柱状の第２の脚ベース本体２２０ｂ、この第２の脚ベース本体２２０ｂから使用端側に行くにしたがって漸次高さ寸法が小さくなる上向きコ字状の第２の前脚ベース２２１ｂ、第２の脚ベース本体２２０ｂから反使用端側に行くにしたがって漸次高さ寸法が小さくなる上向きコ字状の第２の後脚ベース２２２ｂとを備える第２の脚ベース２２ｂと、前記第２の脚ベース本体２２０ｂに支持され床面Ｆに対して起立するコ字状の第２の脚支柱２１ｂとを具備し、これら各部を金属などを素材として一体的に成形してなる。
【００２６】
そして、第１の脚支柱２１ａの中空部に、第２の脚支柱２１ｂを下方から挿入した後に、第１の脚ベース本体２２０ａに第２の脚ベース本体２２０ｂを下方から挿入し、第１の前脚ベース２２１ａに第２の前脚ベース２２１ｂを下方から挿入し、第１の後脚ベース２２２ａに第２の後脚ベース２２２ｂを下方から挿入することにより、この第１の脚２ａと第２の脚２ｂとを相対移動可能にしている。また、第１の脚支柱２１ａが、前記第２の脚支柱２１ｂを外観不能に隠蔽し、第１の脚ベース２２ａが、前記第２の脚ベース２２ｂの少なくとも上端部側を外観不能に隠蔽する状態となる。
【００２７】
また、この第１の脚ベース２２ａは、使用位置（Ｐ）に位置付けた天板１の側縁と略平行をなし、収納位置（Ｑ）に位置付けた天板１の側縁と略直交するように、天板１に対して配置されている。
【００２８】
またさらに、本実施形態では、図１、図２、図４に示すように、前記第１の前脚ベース２２１ａの上向き面に厚み方向に貫通してなる平面視略矩形状の覗き窓２２ａ１を形成し、第１の前脚ベース２２１ａに第２の前脚ベース２２１ｂが近づけば、第２の前脚ベース２２１ｂの上向き面を覗き窓２２ａ１から視認可能となり、覗き窓２２ａ１から遠ざかれば視認不能となる表示手段としての機能を発揮するように構成している。このとき、第２の前脚ベース２２１ｂの上向き面を、第１の前脚ベース２２１ａの上向き面と異なる色で着色すればより確実に視認可能なものとすることができる。
【００２９】
支持機構３は、図２、図３、図４等に示すように、第１の脚支柱２１ａの上端部の所定位置に取り付けられ且つフラップ動作する天板１の回転中心となる回転支軸３１と、天板１裏面の所定位置に取り付けられ且つ回転支軸３１に回転可能に支持されてなる支持要素たる天板受け３２とを備えてなる。
【００３０】
より具体的には、回転支軸３１は、前記第１の脚支柱２１ａ間に横架させてなる長手方向に沿って各部等断面形状をなす円筒状のパイプである。そしてこの回転支軸３１は、その両端部を第１の脚支柱２１ａの上端部に所定の状態となるように載置して固定している。さらに具体的には、回転支軸３１の反使用端側縁部が、前記第１の脚支柱２１ａの反使用端側縁部より反使用端側へ突出する位置に位置付けられるように、第１の脚支柱２１ａの上端部に溶接により固定されている。このことにより、天板１を収納位置（Ｑ）に位置付けた場合には、その収納位置（Ｑ）に位置付けた天板１と、第１の脚支柱２１ａとの間に隙間ｈが形成されることとなる。
【００３１】
天板受け３２は、天板１裏面に対して起立するとともに互いに平行をなす正面視略矩形状の前起立壁要素３２１及び後起立壁要素３２２と、天板１裏面と平行をなし且つその天板１裏面から離間する位置に位置付けてなる平面視略矩形状の底壁要素３２３と、前記前起立壁要素３２１の下端縁と底壁要素３２３の前側縁との間に設けた平面視略矩形状の前傾斜壁要素３２４と、前記後起立壁要素３２２の下端縁と底壁要素３２３の後側縁との間に設けた平面視略矩形状の後傾斜壁要素３２５と、前記各要素３２１〜３２５の側端縁から略直角に屈曲させてなるとともに前記天板１裏面に対して起立する側面視略台形形状の対をなす側起立壁要素３２６とを備え、これら各要素３２１〜３２６を板金素材を塑性変形加工することにより一体に形成している。
【００３２】
また、側起立壁要素３２６には、前記回転支軸３１を挿通するための上向きＵ字状をなす挿通部３ａを形成している。そして、天板１裏面とこの挿通部３ａとで囲まれる空間に前記回転支軸３１を挿通させれば、天板１裏面と挿通部３ａの周端縁とによって前記回転支軸３１を回転可能に支持することができる。
【００３３】
しかして、天板１は、前記使用位置（Ｐ）と前記収納位置（Ｑ）との間で回転支軸３１の軸線周りにフラップ動作可能になる。そして、使用位置（Ｐ）に天板１が位置付けられている際には、前記回転支軸３１は、天板１直下に位置付けられることとなり、この回転支軸３１が、荷重を受けた天板１の撓みを防止する天板補強部材としての機能を発揮する。また、収納位置（Ｑ）に天板１が位置付けられている際には、前記回転支軸３１は、起立する天板１裏面の側方に沿って位置付けられることとなり、回転支軸３１の両端部が、天板受け３２を介して天板１を支持することとなる。
【００３４】
キャスタ２Ｃは、図５等に示すように、床面Ｆに接地可能な離間した２つの車輪２Ｃ１を備える双輪キャスタである。
【００３５】
アジャスタ２Ａは、図５等に示すように、前記キャスタ２Ｃの車輪２Ｃ１間の寸法よりも小さな外径を有するとともに床面Ｆに接地可能な台座２Ａ１と、この台座２Ａ１に下端部を支持され上端部で第１の脚ベース２２ａを支持する取付軸２Ａ２とを備えるものである。
【００３６】
そして、キャスタ２Ｃの２つの車輪２Ｃ１の間に、前記アジャスタ２Ａを配置して、前記アジャスタ２Ａの取付軸２Ａ２のまわりに前記キャスタ２Ｃが旋回可能となるように取り付けることにより、第１の脚ベース２２ａに対するアジャスタ２Ａの取り付け位置と、第２の脚ベース２２ｂに対するキャスタ２Ｃの取り付け位置とが平面視重合する位置関係となるように構成している。
【００３７】
作動機構Ｗは、図２、図４等に示すように、一端側を前記第１の脚支柱２１ａに取り付け他端側を第２の脚支柱２１ｂに取り付けてなり、且つ、前記第２の脚支柱２１ｂを床面Ｆから離間する方向に付勢する付勢部材Ｗ１と、前記付勢部材Ｗ１により付勢され所定位置にある第２の脚支柱２１ｂを、その所定位置からさらに床面Ｆから離間することを不能にロックするロック部材Ｗ２と、一端側Ｗ３ｘを前記第１の脚支柱２１ａに取り付け他端側Ｗ３ｙを前記ロック部材Ｗ２に取り付けてなり、且つ前記ロック部材Ｗ２が所定の方向に移動するように付勢する第２の付勢部材Ｗ３と、天板受け２の側起立壁要素３２６に取り付けてなるロック解除部材Ｗ４と、使用位置（Ｐ）から収納位置（Ｑ）へフラップ動作する天板１に連動し、前記第２の脚支柱２１ｂを床面Ｆ側に押し下げ得る押し下げ機構Ｗ５とを具備してなる。
【００３８】
さらに詳述すると、付勢部材Ｗ１は、図６、図７に示すように、一端部Ｗ１ｘを前記第１の脚支柱２１ａの内側面から内向きに突出させてなる第１の突出要素２１ａｘに取り付けてなり、他端部Ｗ１ｙを前記第２の脚支柱２２ｂの外側面から外向きに突出させてなる第２の突出要素２１ｂｘに取り付けてなるコイルばねである。
【００３９】
ロック部材Ｗ２は、図２、図４、図６、図７、図８に示すように、側面視略矩形状の本体要素Ｗ２１とこの本体要素Ｗ２１の上端部に使用端側へ突出させてなる側面視略三角形状の上側突片Ｗ２２と前記本体要素Ｗ２１の下端部に反使用端側へ突出させてなる側面視略矩形状の下側突片Ｗ２３とを設けてなるロック部材本体Ｗ２０と、前記上側突片Ｗ２２の基端部を貫通し前記ロック部材本体Ｗ２０と略直角に起立するように設けてなる略円柱状のロック部材本体支軸Ｗ２４とを備えてなる。そして、このロック部材本体支軸Ｗ２４を前記第１の脚支柱２１ａの両側面に横架させることにより、このロック部材本体支軸Ｗ２４を回動中心として前記ロック部材本体Ｗ２０が、前記第１の脚支柱２１ａに対して揺動可能に取り付けられている。
【００４０】
また、前記下側突片Ｗ２３が、前記第２の脚支柱２１ｂの使用端側面に当接している場合には、前記上側突片Ｗ２２が、前記第１の支柱本体２１ａの使用端側面に略矩形状に開口させてなる開口部２１ａＺから前記第１の脚支柱２１ａの外部へ露出する突出位置（Ｎ１）に位置付けられるように構成している（図６参照。）。また、前記下側突片Ｗ２３が、前記第２の脚支柱２１ｂの使用端側面に略矩形状に形成してなる下側突片受入孔２１ｂＺに嵌め込まれた場合には、前記上側突片Ｗ２２が、前記突出位置（Ｎ１）より反使用端側へ退避した退避位置（Ｎ２）に位置付けられるように構成している（図７参照。）。
【００４１】
第２の付勢部材Ｗ３は、図２、図４、図６、図７に示すように、一端部を前記ロック部材Ｗ２の上側突片Ｗ２２の基端部に取り付けてなり、他端部を前記第１の脚支柱２１ａの内側面から内向きに突出させてなる第２の突出要素２１ａｙに取り付けてなるコイルばねである。そして、本実施形態では、この第２の付勢部材Ｗ３は、前記ロック部材Ｗ２を、その上側突片Ｗ２２が使用端側へ移動し、下側突片Ｗ２３が反使用端側に移動するように付勢してなる。
【００４２】
ロック解除部材Ｗ４は、図６、図７等に示すように、板金素材を塑性変形加工して、平面視Ｌ字状をなすように形成したものであって、一片を前記天板受け２の側起立壁要素３２６に取り付けてなる。そして、図７に示すように、収納位置（Ｑ）から使用位置（Ｐ）に向けてフラップ動作する天板１が、使用位置に位置づけられる直前の位置（Ｐ−）から使用位置（Ｐ）の位置で、他片Ｗ４１が前記ロック部材Ｗ２の上側突片Ｗ２２と当接するように構成している。
【００４３】
押し下げ機構Ｗ５は、図６、図７、図８等に示すように、前記回転支軸３１に取り付けられ天板１をフラップ動作させた際にその回転支軸３１と連動して回動する回動部材Ｗ５１と、一端部を前記回動部材Ｗ５１に枢支され他端部を前記第２の脚支柱に設けた長孔ＮＡに進退可能に支持される進退部材Ｗ５２とを備えてなる。
【００４４】
より具体的には、回動部材Ｗ５１は、周縁部の一部を側面視略三角形状をなすように膨出させてなり且つ他の周縁部が部分円弧状をなす、板金素材を打ち抜き加工により形成したものである。そして、この回動部材Ｗ５１は、略中央部に厚み方向に貫通する貫通孔を備え、この貫通孔に前記回転支軸３１に連動して回動する円柱状の回動要素３１ｘを挿通させ溶接によりその回動要素３１ｘに固着されている。進退部材Ｗ５２は、長手方向に各部当断面形状をなす棒材であって、一端部を内方へ略直角に起立させ、他端部を外方へ略直角に起立させてなる。そして、内方へ起立させた一端部が、前記回動部材Ｗ５１の膨出させた部位に回動可能に支持されるようにその回動部材Ｗ５１に取り付けられている。また、外方へ起立させた他端部が、前記第２の脚支柱の長孔ＮＡに沿って進退するようにその長孔ＮＡに取り付けられている。
【００４５】
なお、本実施形態では、進退部材Ｗ５２の他端部が、フラップ動作する天板１と連動して第２の脚支柱の長孔ＮＡをその長孔ＮＡに沿って進退した際に、キャスタ２Ｃが離間位置Ｂ２に位置付けられ、且つ、前記回動部材Ｗ５１の膨出部が最下点ＭＰ近傍（図８（ｂ）参照）を回動している場合には、進退部材Ｗ５２の他端部が長孔ＮＡの下端縁に当接するように構成している。
【００４６】
幕板４は、天板１と第１の脚支柱２１ａとに取り付けられてなり且つ幅寸法が前記天板１と略同一の正面視略矩形状をなすものであって、板金素材を塑性変形加工して形成してなる。なお、本実施形態では、この幕板４は、天板１裏面と該幕板４上部との間に介在させてなる上支持部材４１と、第１の脚支柱２１ａと該幕板４下部との間に介在させてなる下支持部材４２とによって、天板１をフラップ動作させた際に、前記第１の脚支柱２１ａに対して平行を成しながら近接又は離間し得るように支持されている。しかして、天板１が使用位置（Ｐ）にある場合には、この幕板４によって、反使用端側から下肢空間Ｓが隠蔽される。
【００４７】
ラッチ機構５は、前記回転支軸３１に固定してなる係止要素５１と、前記天板受け３２に取り付けてなり前記係止要素５１に係止され得る被係止要素５２と、前記被係止要素５２を所定軸周りに回転させる操作レバー５３とを具備してなる。
【００４８】
より具体的には、前記係止要素５１は一端部を前記回転支軸３１に溶接によって固定され、他端部を反使用端側に膨出させてなる側面視下向きに突出する下向き爪であって、本実施形態では、板金素材を塑性変形加工することにより形成してなる。被係止要素５２は、一端部を前記天板受け３２の側起立壁要素３２６間に横架させてなる係止軸５４に回転可能に軸支され、他端部を前記係止要素５１に係止され得る側面視上向きに突出する上向き爪であって、本実施形態では、板金素材を塑性変形加工することにより形成してなる。操作レバー５３は、使用者が把持して操作可能なコ字状の把持要素５３１と、この把持要素５３１の回転中心となる連結要素５３２とを備え、この連結要素５３２を前記被係止要素５２の一端部に取り付けることにより、前記把持要素５３１が前記係止軸５４を回転中心として回転するように構成してなる。
【００４９】
なお、本実施形態において、前記係止要素５１、被係止要素５２及び操作レバー５３の連結要素５３２とが、前記天板受け３２を構成する前起立壁要素３２１、後起立壁要素３２２、底壁要素３２３、前傾斜壁要素３２４、後傾斜壁要素３２５、側起立壁要素３２６で囲まれる収容空間に収容されるように構成している。また、前記操作レバー５３の把持要素５３１は、使用者が操作できるように、天板受け３２の外部に露出するように配置してなる。
【００５０】
以上のように構成されるテーブルＴは、次のようにして使用される。
【００５１】
まず、天板１を、使用位置（Ｐ）に位置付けて使用する場合について説明する。
【００５２】
天板１を、収納位置（Ｑ）側から使用位置（Ｐ）に向けてフラップ動作させて、前記使用位置（Ｐ）の直前の位置（Ｐ−）に位置付けると、図６に示すように、ロック解除部材Ｗ４が、ロック部材Ｗ２の上側突片Ｗ２２と接触する位置に位置付けられる。なお、この状態では、キャスタ２Ｃが床面Ｆに接地し、アジャスタ２Ａが床面Ｆから離間する位置にそれぞれ位置付けられているので、該テーブルＴを床面Ｆに対して自由に移動させることができる。
【００５３】
また、このとき、第１の前脚ベース２２１ａに第２の前脚ベース２２１ｂとが離間、第２の前脚ベース２２１ｂの上向き面を覗き窓２２ａ１から視認できないので、使用者は、キャスタ２Ｃが接地されて該テーブルＴを移動できるということを目で確認することができる。すなわち、動作の確実性を高められる。
そして、天板１をさらに使用位置（Ｐ）に向けてフラップ動作させると、ロック解除部材Ｗ４が、ロック部材Ｗ２の上側突片Ｗ２２を第１の脚支柱２１ａ内部へ押し込むこととなる。すると、ロック部材本体支軸Ｗ２４によって第１の脚支柱２１ａに揺動可能に支持されているロック部材本体Ｗ２０が、そのロック部材本体支軸Ｗ２４を軸として回転し、ロック部材本体Ｗ２０の下側突片Ｗ２３が使用端側へと移動する。このとき、第２の脚支柱２１ｂは、付勢部材Ｗ１によって上動する向きに付勢されている。そして、ロック部材Ｗ２の下側突片Ｗ２３が第２の脚支柱２１ｂの下側突片受入孔２１ｂＺから外れれば、その第２の脚支柱２１ｂが付勢部材Ｗ１によって上動し、第２の脚２ｂを支持しているキャスタ２Ｃの車輪２Ｃ１が床面Ｆから離間しアジャスタ２Ｃの台座２Ａ１が接地することとなる。
【００５４】
しかして、略水平な使用位置（Ｐ）直前にある天板１を、水平な使用位置（Ｐ）にするだけで、テーブルＴを床面Ｆに対して移動不能に設置することができる。
【００５５】
このとき、第１の前脚ベース２２１ａに第２の前脚ベース２２１ｂとが近接し、第２の前脚ベース２２１ｂの上向き面を覗き窓２２ａ１から視認可能となるので、使用者は、アジャスタ２Ａが接地されて該テーブルＴを移動できないということを目で確認することができる。すなわち、動作の確実性を高められる。
【００５６】
また、このとき幕板４が、天板１のフラップ動作と連動して移動し、脚支柱２１から所定距離に離間した位置に位置付けられる。しかして、天板１、幕板４、脚２及び床面Ｆとによって囲まれ且つ使用端側に開口してなる下肢空間Ｓが形成される。なお、使用位置（Ｐ）に天板１が位置付けられているときには、被係止要素５２が係止要素５１に係止されるので、天板１はフラップ動作することを禁止される状態となる。
【００５７】
次に、天板１を、収納位置（Ｑ）に位置付けて使用する場合について説明する。
【００５８】
使用者が、操作レバー５３の先端部を天板１に近づく方向に操作すると、ラッチ機構５の被係止要素５２と係止要素５１との係止が解除され、天板１がフラップ動作可能な状態になる。
【００５９】
そして、天板１を、使用位置（Ｐ）から収納位置（Ｑ）に向けてフラップ動作させると、このフラップ動作に連動して回転支軸３１に取り付けてなる回動部材Ｗ５１が回動を始める（図８（ａ）参照）。そして、さらに天板１を収納位置側へフラップ動作させると、回動部材Ｗ５１に取り付けてなる進退部材Ｗ５２の他端部が長孔ＮＡの下端縁に当接し、よりさらに天板１を収納位置側へフラップ動作させると、進退部材Ｗ５２の他端部と長孔ＮＡの下端縁とが当接した状態で、進退部材Ｗ５２の他端部が下降する。これによって、第２の脚支柱２１ｂが下方へ移動させれらることとなる。そして、第２の脚支柱２１ｂが、キャスタ２Ｃの車輪２Ｃ１が接地しアジャスタ２Ａの台座２Ａ１が床面Ｆから離間する位置まで下降すると、第２の脚支柱２１ｂの使用端側面に当接していたロック部材Ｗ２の下側突片Ｗ２３が、第２の付勢部材Ｗ３によって、前記第２の脚支柱２１ｂの下側突片受入孔２１ｂＺに押し込まれ、これにより、第２の脚支柱２１ｂが上下動不能になる（図８（ｂ）参照）。しかして、該テーブルＴを床面Ｆに対して移動可能になる。そしてさらに、このような状態から天板１を収納位置（Ｑ）側へフラップ動作させると、進退部材Ｗ５２の他端部と長孔ＮＡの下端との当接が解除され（図８（ｃ）参照）、天板１をフラップ動作させて収納位置（Ｑ）に位置付けることができる。このとき、収納位置（Ｑ）にある天板１に対して、該天板１を使用位置（Ｐ）へ戻すような外力が加わったとしても、進退部材Ｗ５２の他端部と長孔ＮＡの下端との間に形成される隙間によって、進退部材Ｗ５２の他端部と長孔ＮＡの下端とがすぐに接触することはない。すなわち、天板１に不意に加わる外力が、第２の脚２１やキャスタ２Ｃなどにすぐに加わらないので安全性が向上する。なお、回動部材Ｗ５１を、図８（ａ）、（ｂ）に示した各位置の間のみで回動させてもよい。この場合には、キャスタ２Ｃの車輪２Ｃ１が接地しアジャスタ２Ａが床面Ｆから離間するといった然るべき動作をするように、進退部材Ｗ５２及び長孔ＮＡ、下側突片受入孔２１ｂＺ及びロック部材Ｗ２等を適宜構成すればよい。
【００６０】
なお、幕板４は、天板１のフラップ動作と連動して移動し、天板１と脚支柱２１との間に形成される隙間ｈに位置付けられる。しかして、天板１と脚支柱２１と幕板４とが、脚ベース２２の両先端部から略等距離にある位置で、床面Ｆに対して起立する状態となる。
【００６１】
このような状態で、天板１や第１の脚支柱２１ａに水平方向の所定の力を加えると、第２の脚ベース２２ｂを支持するキャスタ２Ｃの車輪２Ｃ１が床面Ｆに対して転動し、該テーブルＴを床面Ｆに対して移動させることができる。
【００６２】
以上のように構成した本実施形態のテーブルＴは、収納位置（Ｑ）側からフラップ動作させた天板１が、使用位置（Ｐ）の直前の位置（Ｐ−）に位置付けられるまで、キャスタＣＡの車輪２Ｃ１が床面Ｆに接地し且つアジャスタ２Ａの台座２Ａ１が床面Ｆから離間しているので、天板１を使用位置（Ｐ）の直前の位置でも、該テーブルＴを自由に移動することができる。また、使用位置（Ｐ）の直前の位置（Ｐ−）にある天板１を使用位置（Ｐ）へ位置付けるだけで、キャスタＣＡの車輪２Ｃ１が床面Ｆから離間し且つアジャスタ２Ａが床面Ｆに接地して、テーブルＴが床面に設置されるので、テーブルＴを所望の位置へ容易に位置付けることができる。すなわち、１又は複数レイアウトをする場合に、各テーブルを簡単且つ確実に所望の位置へ位置付けることができる。
【００６３】
また、床面Ｆに設置させたテーブル位置を微調整して再配置などをする場合でも、使用位置（Ｐ）にある天板１を収納位置（Ｑ）へ向けてフラップ動作させれば、天板１を収納位置（Ｑ）へフラップ動作させた直後に作動機構Ｗが作動して、テーブルＴを移動させ得るようになるので、作業が大変簡単になる。
【００６４】
また、第１の脚支柱２１ａが、第２の脚支柱２１ｂを外観不能に隠蔽し、また、第１の脚ベース２２ａが、第２の脚ベース２２ｂの少なくとも上端部側を外観不能に隠蔽しているので、外観上好ましいテーブルＴを供給できる。
【００６５】
また、キャスタ２Ｃの２つの車輪２Ｃ１の間に、アジャスタ２Ａが配置され、そのアジャスタ２Ａの取付軸２Ａ２のまわりにキャスタ２Ｃが旋回可能に取り付けられているので、第１の脚ベース２２ａに対するアジャスタ２Ａの取り付け位置と、第２の脚ベース２２ｂに対するキャスタ２Ａの取り付け位置とが平面視重合する位置関係となるので、テーブルＴの省スペース化を実現でき且つ安定性もよい。
【００６６】
さらに、作動機構Ｗが、第１の脚支柱２１ａと第２の脚支柱２１ｂとの間に介在し、前記第２の脚支柱２１ｂを床面Ｆから離間する方向に付勢する付勢部材Ｗ１を備えているので、簡単な構成で、接地位置Ｂ１にある第２の脚を離間位置Ｂ２へ移動し得るようにできる。
【００６７】
また、作動機構Ｗが、付勢部材Ｗ１により付勢され所定位置にある第２の脚支柱２１ｂを、その所定位置からさらに床面から離間することを不能にロックするロック部材Ｗ２を具備しているので、接地位置Ｂ１にある第２の脚が、離間位置Ｂ２に不意に移動することを好適に防止できる。
【００６８】
また、ロック部材Ｗ２を所定位置に位置付けるように付勢する第２の付勢部材Ｗ３を具備していれるので、そのロック部材Ｗ２のロック動作を確実に行わせることもできる。
【００６９】
また、作動機構Ｗが、使用位置（Ｐ）から収納位置（Ｑ）へフラップ動作する天板１に連動し、前記第２の脚支柱２１ｂを床面側に押し下げ得る押し下げ機構Ｗ５を備えているので、簡単な構成で移動不能なテーブルＴを移動可能にすることができる。
【００７０】
さらに、前記作動機構Ｗの作動と連動し、キャスタ２Ｃとアジャスタ２Ａとの床面に対する接地状態を視認可能に表示する覗き窓２２ａ１を具備しているので、テーブルＴが移動可能な状態にあるのか或いは移動不能な状態にあるのかを簡単且つ確実に知ることができる。
【００７１】
なお、本発明は、以上に詳述した実施形態に限られるものではない。
【００７２】
例えば、第１の脚支柱２１ａや第２の脚支柱２１ｂを丸パイプで構成するなど、それらの構成は、実施態様に応じて適宜変更可能である。
【００７３】
また、脚２は、本実施形態のように左右１対設けられたものに限らず、３つ以上或いは１つ設けられたものであっても構わない。
【００７４】
第１の前脚ベース２２１ａの上向き面に厚み方向に貫通してなる覗き窓２２ａ１を形成し、第１の前脚ベース２２１ａに第２の前脚ベース２２１ｂが近づけば、第２の前脚ベース２２１ｂの上向き面を覗き窓２２ａ１から視認可能となり、覗き窓２２ａ１から遠ざかれば視認不能となる表示手段としての機能を発揮するように構成しているが、例えば、ロック部材Ｗ２の上側突片Ｗ２２が突出位置（Ｎ１）に位置付けられている際に外部から視認可能となり、退避位置（Ｎ２）に位置付けられている際に外部から視認不能となるようにその上側突片Ｗ２２を着色することにより表示手段を構成するなど、表示手段の構成は本実施形態に限られるものではない。
【００７５】
また、天板１をフラップ動作させる構造は、上記実施形態のものに限られない。
【００７６】
回転支軸３１は、一本のものを脚支柱間に横架させるように構成しているが、脚支柱の上端部近傍のみを位置付けるように構成しても良い。
【００７７】
また、幕板４の取り付け方法も本実施形態に限られるものではない。さらに幕板を具備しないように構成しても構わない。
【００７８】
その他、各部の具体的構成についても上記実施形態に限られるものではなく、本発明の趣旨を逸脱しない範囲で種々変形が可能である。
【００７９】
【発明の効果】
以上に詳述したように本発明によれば、収納位置からフラップ動作させた天板が、使用位置の直前に位置付けられるまで、第１の支持体が離間位置にあり且つ第２の支持体が接地位置にあるので、天板を使用位置の直前の位置でも、該テーブルを自由に移動することができる。また、使用位置の直前にある天板を使用位置へ位置付けるだけで、第１の支持体が接地位置となり且つ第２の支持体が離間位置となって、テーブルが床面に設置されるので、テーブルを所望の位置へ容易に位置付けることができる。すなわち、１又は複数のレイアウトを行うときにも、簡単且つ確実に所望の位置へ位置付け可能となるテーブルを実現することができる。
【図面の簡単な説明】
【図１】本発明の実施形態における天板を使用位置に位置付けた際のテーブルの全体斜視図。
【図２】同実施形態における側面図。
【図３】同実施形態における正面図。
【図４】同実施形態における天板を収納位置に位置付けた際の側面図。
【図５】同実施形態におけるキャスタ及びアジャスタの床面への接地状態を模式的に示す構造断面図。
【図６】同実施形態におけるロック部材Ｗ２の作動態様を示す斜視図。
【図７】同実施形態におけるロック部材Ｗ２の作動態様を示す斜視図。
【図８】同実施形態における作動機構を構成する押し下げ機構Ｗ５等の動作を模式的に示す図。
【符号の説明】
１・・・天板
２・・・脚
２ａ・・・第１の脚
２ｂ・・・第２の脚
２１ａ・・・第１の脚支柱
２１ｂ・・・第２の脚支柱
２２ａ・・・第１の脚ベース
２２ａ１・・・表示手段（覗き窓）
２２ｂ・・・第２の脚ベース
３１・・・回転支軸
２Ａ・・・第１の支持体（アジャスタ）
２Ａ１・・・台座
２Ａ２・・・取付軸
２Ｃ・・・第２の支持体（キャスタ）
２Ｃ１・・・車輪
２Ｃ２・・・車輪保持部材
２Ｃ３・・・第２の支持体本体
Ｂ１・・・接地位置
Ｂ２・・・離間位置
ＮＡ・・・長孔
Ｐ・・・使用位置
Ｑ・・・収納位置
Ｗ・・・作動機構
Ｗ１・・・付勢部材
Ｗ２・・・ロック部材
Ｗ３・・・第２の付勢部材
Ｗ４・・・ロック解除部材
Ｗ５・・・押し下げ機構
Ｗ５２・・・進退部材
Ｗ５１・・・回動部材
【図１】
2004357980.tif 000003
【図２】
2004357980.tif 000004
【図３】
2004357980.tif 000005
【図４】
2004357980.tif 000006
【図５】
2004357980.tif 000007
【図６】
2004357980.tif 000008
【図７】
2004357980.tif 000009
【図８】
2004357980.tif 000010